(57)【特許請求の範囲】
【請求項１】
長手方向と当該長手方向に直交する幅方向とを有し、
吸収体と、前記吸収体の肌面側に設けられた透液性の表面シートとを含む吸収性物品であって、
前記表面シートの前記幅方向の両外側に設けられた一対のサイドシートと、
前記各サイドシートの前記幅方向の内側端部を、前記吸収体の前記幅方向の側域と重なる位置で、前記表面シートの肌面側において前記表面シートに圧縮して接合する圧縮部と、
前記圧縮部を前記肌面側から覆って前記圧縮部を前記表面シートの前記肌面側から見えにくくするカバーシートとを含み、
前記カバーシートは、前記サイドシートと接合された箇所を有し、前記サイドシートの肌面側において、前記圧縮部に対応する部分では当該サイドシートに接合していないことを特徴とする吸収性物品。
【請求項２】
長手方向と当該長手方向に直交する幅方向とを有し、
吸収体と、前記吸収体の肌面側に設けられた透液性の表面シートとを含む吸収性物品であって、
前記表面シートの前記幅方向の両外側に設けられた一対のサイドシートと、
前記各サイドシートの前記幅方向の内側端部を、前記吸収体の前記幅方向の側域と重なる位置で、前記表面シートの肌面側において前記表面シートに圧縮して接合する圧縮部と、
前記圧縮部を前記肌面側から覆って前記圧縮部を前記表面シートの前記肌面側から見えにくくするカバーシートとを含み、
前記カバーシートは、複数のシートで構成されており、前記複数のシート間には、親油性の接着剤により構成された接着剤層が設けられたことを特徴とする吸収性物品。
【請求項３】
前記接着剤層は、前記長手方向に沿って設けられた複数の接着剤層であって、当該複数の接着剤層は、前記幅方向に間隔をおいて設けられた請求項２に記載の吸収性物品。
【請求項４】
前記複数のシートのうち最肌面側のシートは、非肌面側のいずれかのシートと、前記幅方向の外側で接続されている請求項２又は３に記載の吸収性物品。
【請求項５】
前記カバーシートは、疎水性処理又は撥水性処理が施された材料により構成された１〜４のいずれかに記載の吸収性物品。
【請求項６】
前記カバーシートは、前記サイドシートと同じ材料により前記サイドシートと一体に構成され、前記サイドシートの肌面側において、前記サイドシートと接着剤層のみを介して接続された請求項１〜５のいずれかに記載の吸収性物品。
【請求項７】
長手方向と当該長手方向に直交する幅方向とを有し、
吸収体と、前記吸収体の肌面側に設けられた透液性の表面シートとを含む吸収性物品であって、
前記表面シートの前記幅方向の両外側に設けられた一対のサイドシートと、
前記各サイドシートの前記幅方向の内側端部を、前記吸収体の前記幅方向の側域と重なる位置で、前記表面シートの肌面側において前記表面シートに圧縮して接合する圧縮部と、
前記圧縮部を前記肌面側から覆って前記圧縮部を前記表面シートの前記肌面側から見えにくくするカバーシートとを含み、
前記表面シートと前記サイドシートとの間には親油性の接着剤により構成された接着剤層が設けられ、当該接着剤層は前記圧縮部で圧縮して接合されたことを特徴とする吸収性物品。
【請求項８】
前記カバーシートは、前記圧縮部で接合された部分から前記幅方向の内側に延在して肌面側に向かって屈曲した折り返し部を有し、当該折り返し部から前記幅方向の外側に延在して前記圧縮部を覆うよう構成された請求項１〜７のいずれかに記載の吸収性物品。
【発明の詳細な説明】
【技術分野】
【０００１】
本発明は、吸収性部品に関する。
【背景技術】
【０００２】
吸収体と、吸収体の肌面側に設けられた透液性の表面シートとを有する生理用ナプキン等の吸収性部品において、肌面側の幅方向の両側域に一対のサイドシートを設けた構成が知られている。特許文献１には、サイドシートと表面シートとが接合線で接合され、接合線とサイドシートの内側縁部との間に、着用時に開口するポケットが形成された構成が記載されている。この構成により、ポケットによる防漏効果が安定的に維持され、且つ良好に湾曲して使用者の身体形状に良好にフィットするとされている。
【先行技術文献】
【特許文献】
【０００３】
【特許文献１】特許４４８４７４７号
【発明の概要】
【発明が解決しようとする課題】
【０００４】
しかし、特許文献１に記載されたような構成では、表面シートとサイドシートとを接合した接合線が肌面側に露出している。図７は、従来の生理用ナプキン１００の問題点を説明するための断面図である。生理用ナプキン１００は、裏面シート１２０と、吸収体１３０と、表面シート１４０とが厚さ方向Ｔの着衣側から肌面側へとこの順で積層されて構成されている。生理用ナプキン１００において、サイドシート１５０の幅方向Ｗの内側端部は、吸収体１３０の幅方向Ｗの側域と重なる位置で、表面シート１４０の肌面側において表面シート１４０に接合線１５２で圧縮して接合されている。このような接合線１５２は、例えばヒートエンボス加工により形成されており、シート同士が圧縮されて他の部分よりも密度が高くなっている。
【０００５】
このような構成とした場合、経血等の体液が吸収体１３０に吸収され、拡散して図中矢印で示すように接合線１５２の位置まで達した場合に、密度が高い繊維間に滲入するおそれがある。また、接合線１５２に体液が集まるため体液の色が肌面側から見えやすい。そのため、実際には体液が漏れていないにも関わらず、接合線１５２の部分が赤く見える等して、着用者に横漏れ等が生じているかのような不安感を与えるおそれがあった。
【０００６】
本発明は上記事情に鑑みてなされたものであり、その目的とするところは、サイドシートを設けた吸収性部品において、着用者に与える横漏れ等が生じているかのような不安感を抑える技術を提供することにある。
【課題を解決するための手段】
【０００７】
本願の第１発明によれば、長手方向と当該長手方向に直交する幅方向とを有し、吸収体と、前記吸収体の肌面側に設けられた透液性の表面シートとを含む吸収性物品であって、前記表面シートの前記幅方向の両外側に設けられた一対のサイドシートと、前記各サイドシートの前記幅方向の内側端部を、前記吸収体の前記幅方向の側域と重なる位置で、前記表面シートの肌面側において前記表面シートに圧縮して接合する圧縮部と、前記圧縮部を前記肌面側から覆うカバーシートであって、前記圧縮部を前記表面シートの前記肌面側から見えにくくするカバーシートとを含み、前記カバーシートは、前記サイドシートと接合された箇所を有し、前記サイドシートの肌面側において、前記圧縮部に対応する部分では当該サイドシートに接合していないことを特徴とする。
本願の第２発明によれば、長手方向と当該長手方向に直交する幅方向とを有し、吸収体と、前記吸収体の肌面側に設けられた透液性の表面シートとを含む吸収性物品であって、前記表面シートの前記幅方向の両外側に設けられた一対のサイドシートと、前記各サイドシートの前記幅方向の内側端部を、前記吸収体の前記幅方向の側域と重なる位置で、前記表面シートの肌面側において前記表面シートに圧縮して接合する圧縮部と、前記圧縮部を前記肌面側から覆って前記圧縮部を前記表面シートの前記肌面側から見えにくくするカバーシートとを含み、前記カバーシートは、複数のシートで構成されており、前記複数のシート間には、親油性の接着剤により構成された接着剤層が設けられたことを特徴とする。
本願の第３発明によれば、長手方向と当該長手方向に直交する幅方向とを有し、吸収体と、前記吸収体の肌面側に設けられた透液性の表面シートとを含む吸収性物品であって、前記表面シートの前記幅方向の両外側に設けられた一対のサイドシートと、前記各サイドシートの前記幅方向の内側端部を、前記吸収体の前記幅方向の側域と重なる位置で、前記表面シートの肌面側において前記表面シートに圧縮して接合する圧縮部と、前記圧縮部を前記肌面側から覆って前記圧縮部を前記表面シートの前記肌面側から見えにくくするカバーシートとを含み、前記表面シートと前記サイドシートとの間には親油性の接着剤により構成された接着剤層が設けられ、当該接着剤層は前記圧縮部で圧縮して接合されたことを特徴とする。
【発明の効果】
【０００８】
本発明によれば、サイドシートを設けた吸収性部品において、着用者に与える横漏れ等が生じているかのような不安感を抑えることができる。
【図面の簡単な説明】
【０００９】
【図１】本発明の実施の形態における生理用ナプキンの構成の一例を示す平面図である。
【図２】本発明の実施の形態における生理用ナプキンのカバーシートを取り除いた構成の一例を示す平面図である。
【図３】図１のＡ−Ａ'断面図である。
【図４】図１のＡ−Ａ'断面図に対応する断面模式図である。
【図５】本発明の実施の形態における生理用ナプキンのカバーシートの他の例を示す断面模式図である。
【図６】本発明の実施の形態における生理用ナプキンのカバーシートの他の例を示す断面模式図である。
【図７】従来の生理用ナプキンの問題点を説明するための断面図である。
【発明を実施するための形態】
【００１０】
以下、本発明の実施の形態について、図面を用いて説明する。尚、すべての図面において、同様な構成要素には同様の符号を付し、適宜説明を省略する。また、図面は模式的なものであり、各寸法の比率等は現実のものとは異なる場合も含む。
【００１１】
なお、本実施の形態では、吸収性物品の例として生理用ナプキンについて説明するが、本実施の形態の吸収性物品は、生理用ナプキンに限定されるものではなく、吸収性物品には、例えば、所謂おりものシート(例えば、パンティーライナー)や使い捨ておむつ等も含まれる。
【００１２】
図１は、本発明の実施の形態における生理用ナプキン１０の構成の一例を示す平面図（肌面側）である。図２は、本発明の実施の形態における生理用ナプキン１０のカバーシート６０を取り除いた構成の一例を示す平面図（肌面側）である。図３は、図１のＡ−Ａ'断面図である。
【００１３】
生理用ナプキン１０は、長手方向Ｌと、長手方向Ｌに直交する幅方向Ｗと、長手方向Ｌ及び幅方向Ｗに直交する厚さ方向Ｔとを有する。長手方向Ｌは、生理用ナプキン１０の着用中（使用時）において着用者の腹側となる前側Ｆと、着用者の背側となる後側Ｒとを有する。厚さ方向Ｔは、生理用ナプキン１０の着用中に着用者の肌と当接する側である肌面側とその反対側である着衣側（非肌側）とを有する。
【００１４】
生理用ナプキン１０は、平面視縦長形状のシート状部材である。生理用ナプキン１０は、不透液性の裏面シート２０（図３参照）と、液吸収性の吸収体３０と、透液性の表面シート４０とが厚さ方向Ｔの着衣側から肌面側へとこの順で積層されて構成されている。
【００１５】
吸収体３０は、経血等の体液を吸収して保持する。吸収体３０は、例えば、吸収性コア、肌面側シート及び非肌面側シートを有することができる。肌面側シート及び非肌面側シートは、それぞれ吸収性コアの肌面側と着衣側に接着剤等により接合することができる。
【００１６】
吸収性コア、肌面側シート及び非肌面側シートは、通常の生理用ナプキンの吸収体として使用される材料により構成することができる。一例として、吸収性コアは、液体吸収性繊維であるセルロース系吸収性繊維と、熱可塑性樹脂繊維とを有し、これらの繊維同士が互いに混合した状態とすることができる。高吸収性ポリマー（所謂ＳＡＰ）等の液体吸収性粒状物を液体吸収性繊維に加えてもよい。一例として、肌面側シートは、エアスルー不織布等の不織布やティッシュペーパー等の透液性に優れた柔軟なシートとすることができる。一例として、非肌面側シートは、ＳＭＳ（スパンボンド／メルトブローン／スパンボンド)不織布等の不織布やティッシュペーパー等の柔軟なシートとすることができる。
【００１７】
裏面シート２０は、生理用ナプキン１０の着用中に表面シート４０を透過して吸収体３０に吸収された体液が下着等の着衣側に染み出すことを抑制する。裏面シート２０は、通常の生理用ナプキンの裏面シートとして使用される材料により構成することができる。一例として、裏面シート２０は、ポリエチレン（ＰＥ）等の樹脂フィルムの不透液性の柔軟なシートとすることができる。
【００１８】
表面シート４０は、生理用ナプキン１０の着用中に着用者の肌と当接する部材であり、体液を厚さ方向Ｔの肌面側から着衣側に透過させ、吸収体に移動させる。表面シート４０は、通常の生理用ナプキンの表面シートとして使用される材料により構成することができる。一例として、表面シート４０は、エアスルー不織布等の不織布の透液性の柔軟なシートとすることができる。
【００１９】
なお、図１に示すように、表面シート４０の肌面側には、表面シート４０と吸収体３０とをエンボス加工等により厚さ方向Ｔに圧搾することにより形成された圧搾部４２が設けられている。圧搾部４２は、長手方向Ｌに沿った線状の圧搾部、線状の圧搾部で囲まれた領域に設けられた点状の圧搾部やハート型等の屈曲形状を有する圧搾部等を含む。ここで、圧搾部４２は、表面シート４０と吸収体３０とを一体にして剥離しないようにする部分をいう。これにより、表面シート４０と吸収体３０とが接合され、生理用ナプキン１０を着用中の型崩れやヨレを防止することができる。また、圧搾部４２を設けることにより、生理用ナプキン１０の厚みを調整することもできる。また、圧搾部４２を設けることにより、吸収体３０中に吸収される体液の流れ等を制御することもできる。圧搾部４２の構成は図示した物に限られず、例えば、格子状、ドット状、波状等とすることもでき、通常の生理用ナプキンに設けられたものと同様とすることができる。
【００２０】
さらに、生理用ナプキン１０は、表面シート４０の幅方向Ｗの両外側に設けられた一対のサイドシート５０を含む。各サイドシート５０は、その長手方向Ｌの略中央部に、生理用ナプキン１０を下着（不図示）に装着する際の固定部となる、幅方向Ｗの外側に延出したウイング部５０ｗを含む。
【００２１】
サイドシート５０は、生理用ナプキン１０の着用中に着用者の肌と当接する部分であり、表面シート４０の上を幅方向Ｗに流れる体液が横漏れするのを防ぐ。また、サイドシート５０のウイング部５０ｗは、生理用ナプキン１０の着用中に、生理用ショーツ等の下着の股下部に折り込まれる構成となっている。図示していないが、サイドシート５０のウイング部５０ｗに対応する裏面シート２０の着衣側には生理用ナプキン１０の着用中に生理用ナプキン１０を下着等に貼付して固定するための接着部が設けられた構成とすることができる。
【００２２】
サイドシート５０は、通常の生理用ナプキンのサイドシートとして使用される材料により構成することができる。一例として、サイドシート５０は、スパンボンド不織布やＳＭＳ不織布等により構成することができる。サイドシート５０は、疎水性又は撥水性であることが好ましい。サイドシート５０は、例えば、上述した表面シート４０と同様の材料であって、疎水性処理又は撥水性処理が施された材料により構成することができる。サイドシート５０を疎水性又は撥水性とすることにより、体液が外方に流れ出るのを防ぐことができる。
【００２３】
本実施の形態において、図３に示すように、各サイドシート５０の幅方向Ｗの内側端部は、吸収体３０の幅方向Ｗの側域と重なる位置で、表面シート４０の肌面側において表面シート４０に圧縮部５２で圧縮して接合されている。圧縮部５２は、ヒートエンボス加工、超音波加工で、複数のシートを圧縮して接合する種々の手法により形成することができる。ここで、圧縮部５２は、表面シート４０とサイドシート５０とを圧縮して接合した部分をいう。
【００２４】
また図２に示すように、圧縮部５２は、生理用ナプキン１０の長手方向Ｌ全体に連続して延在して設けられている。
【００２５】
なお、他の例において、例えば、圧縮部５２は、特許文献１に記載された接合線のように、複数の線状の圧縮部分が長手方向Ｌに配置された構成とすることもできる。また、圧縮部５２は、格子状等の凹凸パターンを有するように形成されてもよい。圧縮部５２の構成は、通常の生理用ナプキンにおいて表面シートとサイドシートとを圧縮して接合する目的で設けられた種々のものと同様とすることができる。
【００２６】
裏面シート２０の平面形状は、以上のようにして圧縮して接合されたサイドシート５０及び表面シート４０の平面形状と略同形状である。つまり、裏面シート２０は、図１の生理用ナプキン１０の外縁で囲まれたのと同様の平面形状を有する。
【００２７】
さらに、本実施の形態において、生理用ナプキン１０は、圧縮部５２を肌面側から覆い、圧縮部５２を表面シート４０の肌面側から見えにくくするカバーシート６０を含む。カバーシート６０は、図１のハッチング部分に該当する。ここで、見えにくくするとは、圧縮部５２が完全に見えなくなるようにする他、例えば一層の不透明のシートで圧縮部５２を覆う構成等、圧縮部５２の状態がカバーシート６０を設けない場合に比べて視認しにくくなるようにすることを含む。なお、図２では、圧縮部５２とカバーシート６０との配置関係を示すために、カバーシート６０も二点鎖線で示している。また、図２は、後述する図４のＢ−Ｂ'断面図に該当し、生理用ナプキン１０を肌面側から示す図である。
【００２８】
カバーシート６０は、例えば、上述したサイドシート５０と同様の材料により構成することができる。一例として、カバーシート６０は、例えば、スパンボンド不織布やＳＭＳ不織布等により構成することができる。カバーシート６０は、サイドシート５０と同様、疎水性又は撥水性であることが好ましい。カバーシート６０を疎水性又は撥水性とすることにより、表面シート４０やサイドシート５０からの体液の移行を起こりにくくすることができ、体液が肌表面に露出することを防ぐことができる。
【００２９】
本実施の形態において、図１及び図３に示すように、表面シート４０とサイドシート５０とを接合する圧縮部５２をカバーシート６０で覆うことで、生理用ナプキン１０の着用中に体液が吸収体３０を経由して圧縮部５２に引き込まれても、圧縮部５２で体液を吸収した状態が隠蔽されて肌面側から視認しにくくなる。そのため、横漏れ等の不安感を抑えることができる。
【００３０】
また、圧縮部５２はシート同士が圧縮されているため固さや剛直感を感じやすく、着用者は着用中に違和感が生じるおそれもあった。しかし、カバーシート６０が圧縮部５２を覆うことで、圧縮部５２が直接肌に触れることがないため、剛直感を緩和することができ、生理用ナプキン１０の着用中に違和感を抑えることができる。また、吸収体３０に吸収された体液が圧縮部５２に引き込まれることにより、着用中に圧縮部５２で濡れ感を感じるおそれもあった。しかし、カバーシート６０を設けることで、生理用ナプキン１０を着用中の濡れ感をより低減させることができる。
【００３１】
以上のように、本実施の形態における生理用ナプキン１０によれば、隠蔽性と違和感低減を両立することができる。
【００３２】
次に、カバーシート６０の構成について具体的に説明する。図４は、図１のＡ−Ａ'断面図に対応する断面模式図である。図４は、図３に対応するが、図３の構成をさらに模式的に示した図である。
【００３３】
カバーシート６０は、サイドシート５０上に複数のシート（第１のシート６０ｂ及び第２のシート６０ｃ）が積層された構成とすることができる。カバーシート６０をこのように複数のシートが積層された構成とすることにより、圧縮部５２の隠蔽性を高くすることができる。そのため、圧縮部５２で体液を吸収した状態がカバーシート６０の表面から見えることをより防ぐことができる。積層するシートの数は任意とすることができ、圧縮部５２に対する隠蔽性及び着用中の違和感の低減を考慮して適宜設定することができる。
【００３４】
また、複数のシート間、すなわち第１のシート６０ｂ及び第２のシート６０ｃの間には、親油性の接着剤により構成された接着剤層６４が設けられた構成とすることができる。このように複数のシート間に接着剤層６４が設けられることにより、仮に第１のシート６０ｂに体液が付着しても、親油性の接着剤が体液の移行を防止するため、圧縮部５２で吸収された体液がカバーシート６０の表面に漏洩等することをより防ぐことができる。
【００３５】
ここで、接着剤層６４は、第１のシート６０ｂ上に長手方向Ｌに沿って設けられた複数の接着剤層６４ａ、接着剤層６４ｂ及び接着剤層６４ｃとすることができ、当該複数の接着剤層６４ａ〜接着剤層６４ｃは、幅方向Ｗに間隔をおいて設けられた構成とすることができる。このような構成とすることにより、複数のシート間に緩みができ、カバーシート６０に自由度が出るため、着用中の体との接触時の違和感を低減させることができる。ただし、他の例において、接着剤層６４は幅方向Ｗに連続して設けられた層としてもよく、接着剤層６４は、接着剤層６４ａ〜接着剤層６４ｃの一部のみを含む構成としてもよい。
【００３６】
また、カバーシート６０を構成する複数のシートのうち最上層のシートである第２のシート６０ｃは、下層の第１のシート６０ｂと、幅方向Ｗの外側で接続された構成とすることができる。このような構成とすることにより、カバーシート６０の幅方向Ｗの外側端部に切れ端が出ないため、肌触りをよくすることができる。なお、サイドシート５０上に３層以上のシートを積層した場合には、最上層のシートは、下層のいずれかのシートと、幅方向Ｗの外側で接続された構成とすることができる。この場合も、カバーシート６０の幅方向Ｗの外側端部に切れ端が出ないように構成することができる。
【００３７】
また、表面シート４０とサイドシート５０との間には、親油性の接着剤により構成された接着剤層５４が設けられ、接着剤層５４は圧縮部５２で圧縮して接合された構成とすることができる。
【００３８】
圧縮部５２内において表面シート４０とサイドシート５０との間に接着剤層５４が配置されることにより、表面シート４０からサイドシート５０への体液の移行が起こりにくくなる。また、圧縮部５２による表面シート４０とサイドシート５０との接合強度を高めることができ、サイドシート５０が表面シート４０から剥離しにくくすることができる。さらに、接着剤層５４も圧縮部５２で圧縮して接合されていることで、圧縮部５２の繊維間に接着剤が入り込むことで、繊維間の空へきが減少し、体液を保持しにくくなるため、結果として体液が集まりにくい。
【００３９】
なお、カバーシート６０は、第２のシート６０ｃから着衣側に折り返されてサイドシート５０の着衣側で幅方向Ｗの外側に延在して圧縮部５２により表面シート４０に接合される接合端部６０ａを含む構成とすることができる。図４に示した例では、サイドシート５０がカバーシート６０の接合端部６０ａを介して表面シート４０と接合される構成となっており、サイドシート５０が表面シート４０と直接接合されているのではない。しかし、この場合も同様にサイドシート５０への体液の移行を起こりにくくすることができるとともに、接合強度を高めることができる。
【００４０】
また、カバーシート６０（第１のシート６０ｂ）は、圧縮部５２よりも幅方向Ｗの外側で接着剤層６２によりサイドシート５０に接合された構成とすることができる。このような構成とすることにより、カバーシート６０の幅方向Ｗの外側端部がサイドシート５０に接合されるので、カバーシート６０の表面シート４０からの浮き上がり等を抑えることができ、肌触りをよくすることができる。
【００４１】
また、カバーシート６０は、サイドシート５０と接合された箇所（図４に示した例では接着剤層６２により接合された箇所）を有するが、サイドシート５０上において、圧縮部５２に対応する部分ではサイドシート５０に接合していない構成とすることができる。ここで、「接合しない」とは、圧縮部５２上ではサイドシート５０とカバーシート６０との間に接着剤層が設けられていないことをいう。
【００４２】
このような構成とすることにより、圧縮部５２とカバーシート６０（第１のシート６０ｂ）との間に隙間６１ができるため、剛直性が低減され、肌触りをよくすることができる。また、圧縮部５２と第１のシート６０ｂとの間に隙間６１ができるため、圧縮部５２に引き込まれた体液がカバーシート６０へ転写することを防止し、横漏れの不安を防止することができる。
【００４３】
ただし、他の例において、圧縮部５２上のサイドシート５０とカバーシート６０（第１のシート６０ｂ）との間に親油性の接着剤により構成された接着剤層が設けられていてもよい。このような構成とした場合も、圧縮部５２に引き込まれた体液のカバーシート６０への移行を起こりにくくすることができる。
【００４４】
また、上述したように、カバーシート６０は、圧縮部５２で圧縮して接合された部分である接合端部６０ａから幅方向Ｗの内側に延在して肌面側に向かって屈曲した折り返し部を有し、当該折り返し部から幅方向Ｗの外側に延在する第２のシート６０ｃにより圧縮部５２を覆うよう構成することができる。ここで、折り返し部は、カバーシート６０の幅方向Ｗの内側端を形成することができる。
【００４５】
このようにカバーシート６０が幅方向Ｗの内側で折り返した構造とすることにより、カバーシート６０が浮いていたとしても、内側から圧縮部５２が見えないため、横漏れ等の不安感をより抑えることができる。また、カバーシート６０が幅方向Ｗの内側で折り返した構造となっているので、カバーシート６０の幅方向Ｗの内側端部に切れ端が出ないため、肌触りをよくすることができる。
【００４６】
また、このような構成とすることにより、上述した、サイドシート５０上において、カバーシート６０が圧縮部５２に対応する部分ではサイドシート５０に接合していない構成と合わせ、圧縮部５２とカバーシート６０（第１のシート６０ｂ）との間に隙間６１を形成しやすくなる。
【００４７】
なお、以上で説明した接着剤層５４、接着剤層６４（６４ａ〜６４ｃ）及び接着剤層６２等は、親油性のシール用ホットメルト接着剤等により構成することができる。ホットメルト接着剤としては、通常の生理用ナプキンのシール用ホットメルト接着剤として使用される材料を用いることができるが、一例として、ゴム系のホットメルト接着剤を用いることができる。
【００４８】
また、カバーシート６０はサイドシート５０と一体に形成することができ、サイドシート５０上において、サイドシート５０と接着剤層（図４に示した例では接着剤層６２）のみを介して接続された構成とすることができる。つまり、カバーシート６０は、サイドシート５０上において、サイドシート５０と圧縮部等で接合されていない構成とすることができる。このような構成とすることにより、別途設けた圧縮部等からの体液の漏れを防ぐことができる。
【００４９】
また、カバーシート６０は、サイドシート５０と同じ材料により構成することができ、サイドシート５０上において、サイドシート５０と接着剤層のみを介して接続された構成とすることができる。このような構成とすることにより、カバーシート６０とサイドシート５０とが接着剤等で接合しやすくなり、カバーシート６０とサイドシート５０とを別途圧縮部等で接合する必要がない。そのため、別途設けた圧縮部等からの体液の漏れを防ぐことができる。
【００５０】
図４に示した構成では、カバーシート６０及びサイドシート５０は、一枚のシートが折り込まれて積層された構成を有し、一枚のシートの一端側が接合端部６０ａ、他端側がサイドシート５０となっている。
【００５１】
さらに、カバーシート６０は、長手方向Ｌにおいて、圧縮部５２全体を覆うように設けられた構成とすることができる。このような構成とすることにより、長手方向Ｌのどの部分でも圧縮部５２がカバーシート６０で覆われているので、吸収体３０中央部だけではなく長手方向前後部でも横漏れに対応できる。
【００５２】
さらに、カバーシート６０は、幅方向Ｗにおいて、圧縮部５２の幅よりも広く設けられた構成とすることができる。これにより、幅方向Ｗのどの部分でも圧縮部５２が覆われているので、横漏れにも対応できる。
【００５３】
なお、図４では模式的に示しているが、実際には、接合端部６０ａと第２のシート６０ｃとの間の折り返し位置と、第１のシート６０ｂとサイドシート５０との間の折り返し位置とは、幅方向Ｗにおいて略等しい位置とすることができる。つまり、図１に示した構成において、サイドシート５０の幅方向Ｗの内側端は、カバーシート６０の幅方向Ｗの内側端と略等しい位置とすることができる。また、第１のシート６０ｂと第２のシート６０ｃとは、幅方向Ｗにおいて略等しい幅に形成することができる。
【００５４】
以上のように、本実施の形態の生理用ナプキン１０によれば、サイドシート５０を設けた構成において、着用者に与える横漏れ等が生じているかのような不安感を抑えることができる。
【００５５】
また、圧縮部５２が直接肌に触れることがないため、カバーシート６０により剛直感を緩和することができ、生理用ナプキン１０を着用中の違和感を抑えることができる。さらに、カバーシート６０を設けることにより、生理用ナプキン１０を着用中の濡れ感をより低減させることができる。以上のように、本実施の形態における生理用ナプキン１０によれば、隠蔽性と違和感低減を両立することができる。
【００５６】
次に、本実施の形態におけるカバーシート６０の変形例を説明する。
（変形例１）
図４では、カバーシート６０がサイドシート５０と一体に形成された例を示したが、カバーシート６０は、サイドシート５０とは別体に構成することもできる。図５は、本実施の形態における生理用ナプキン１０のカバーシート６０の他の例を示す断面模式図である。
【００５７】
また、カバーシート６０は、圧縮部５２上に圧縮部５２を覆うように設けられた一層のシートにより構成することができる。この場合、カバーシート６０は、サイドシート５０と同じ材料により構成することもでき、また異なる材料により構成することもできる。
【００５８】
また、カバーシート６０は、親油性の接着剤により構成された接着剤層６６によりサイドシート５０に接合された構成とすることができる。接着剤層６６は、上述した接着剤層５４等と同様の材料により構成することができる。また、接着剤層６６は、図示したように圧縮部５２上に設けた構成とすることができる。このような構成とすることにより、圧縮部５２に引き込まれた体液のカバーシート６０への移行を起こりにくくすることができる。
【００５９】
また、他の例として、接着剤層６６を圧縮部５２上ではなく、圧縮部５２が設けられた箇所の幅方向Ｗの内側及び外側にそれぞれ設けることにより、カバーシート６０をサイドシート５０に接合することもできる。このような構成とすることにより、圧縮部５２とカバーシート６０との間に図４に示したような隙間６１を形成することができ、剛直性が低減され、肌触りをよくすることができる。また、圧縮部５２とカバーシート６０との間に隙間が形成されることにより、圧縮部５２に引き込まれた体液がカバーシート６０へ移行することを防止し、横漏れの不安を解消することができる。
【００６０】
なお、本例においても、カバーシート６０の平面図は、図１に示したのと同様とすることができる。
【００６１】
このような構成とした場合も、生理用ナプキン１０を着用中に体液が吸収体３０を経由して圧縮部５２に引き込まれても、圧縮部５２で体液を吸収した状態が肌面側から視認しにくくなる。そのため、横漏れ等の不安感を抑えることができる。
（変形例２）
図６は、本実施の形態における生理用ナプキン１０のカバーシート６０のまた他の例を示す断面模式図である。
【００６２】
本例では、図４に示した例と同様、カバーシート６０はサイドシート５０と一体に形成されるが、カバーシート６０は、圧縮部５２上に圧縮部５２を覆うように設けられた一層のシートを含む構成とすることができる。具体的には、カバーシート６０は、サイドシート５０の幅方向Ｗの内側端部で肌面側に折り返されて幅方向Ｗの外側に延在する構成とすることができる。また、サイドシート５０とカバーシート６０との境界部分が表面シート４０と圧縮部５２で接合された構成とすることができる。また、カバーシート６０は、サイドシート５０上の幅方向Ｗ外側で、サイドシート５０と親油性の接着剤により構成された接着剤層６８で接合された構成とすることができる。接着剤層６８は、上述した接着剤層５４等と同様の材料により構成することができる。
【００６３】
なお、本例においても、カバーシート６０の平面図は、図１に示したのと同様とすることができる。
【００６４】
このような構成とした場合も、図５を参照して説明した生理用ナプキン１０と同様の効果が得られる。さらに、カバーシート６０が幅方向Ｗの内側で折り返した構造とすることにより、カバーシート６０が浮いていたとしても、内側から圧縮部５２が見えないため、横漏れ等の不安感をより抑えることができる。また、カバーシート６０が幅方向Ｗの内側で折り返した構造となっているので、カバーシート６０の幅方向Ｗの内側端部に切れ端が出ないため、肌触りをよくすることができる。
【００６５】
なお、以上の説明では、本実施の形態の特徴に関係のない構成は省略している。例えば、生理用ナプキン１０は、生理用ナプキン１０を下着（不図示）に着脱可能に粘着するために裏面シート２０の着衣側に設けられる粘着部等、通常の生理用ナプキン１０が有する種々の構成を有することができる。
【００６６】
以上、図面を参照して本発明の実施の形態について述べたが、これらは本発明の例示であり、上記以外の様々な構成を採用することもできる。
【符号の説明】
【００６７】
１０    生理用ナプキン
２０    裏面シート
３０    吸収体
４０    表面シート
４２    圧搾部
５０    サイドシート
５０ｗ    ウイング部
５２    圧縮部
５４    接着剤層
６０    カバーシート
６０ａ    接合端部
６０ｂ    第１のシート
６０ｃ    第２のシート
６１    隙間
６２    接着剤層
６４    接着剤層
６４ａ    接着剤層
６４ｂ    接着剤層
６４ｃ    接着剤層
６６    接着剤層
６８    接着剤層
【図１】
0006415422.tif 000002
【図２】
0006415422.tif 000003
【図３】
0006415422.tif 000004
【図４】
0006415422.tif 000005
【図５】
0006415422.tif 000006
【図６】
0006415422.tif 000007
【図７】
0006415422.tif 000008